(57)【要約】【課題】予約する番組の放送時間が重複するとき、優先して予約する番組の決定を容易に行えるようにする。【解決手段】デマルチプレクサ２２は、トランスポートストリームＴＳから電子番組ガイドデータを示す情報信号ＤＴcを抽出して制御部５１に供給する。制御部５１はオンスクリーン表示処理部４１を制御して番組の記録または視聴を予約するための操作画面の表示制御を行う。制御部５１は、電子番組ガイドデータに基づいて生成した番組表を操作画面に含めるものとし、放送時間が重複している番組の放送局が隣接するように放送局の並び順を変更して番組表を表示させる。【選択図】        図２
2009111515.tif 000002
【特許請求の範囲】
【請求項１】
電子番組ガイドデータを利用して、放送時間が重複している番組の記録または視聴を予約するための操作画面の表示制御を行う表示制御装置において、
前記操作画面の画像信号を生成する信号生成部と、
前記信号生成部を制御して、前記電子番組ガイドデータに基づいて生成した番組表を前記操作画面に含めるものとし、前記番組表において前記放送時間が重複している番組の放送局が隣接するように放送局の並び順を変更する制御部を有する
ことを特徴とする表示制御装置。
【請求項２】
前記制御部は、前記放送時間の重複する番組から優先して記録または視聴する番組をユーザに選択させる優先設定画面を前記操作画面に含めるものとし、前記番組表において前記放送時間の重複する番組の情報を表示させる
ことを特徴とする請求項１記載の表示制御装置。
【請求項３】
前記優先設定画面には、
前記放送時間の重複する第１の番組と第２の番組に対して、前記第１の番組のみを予約する第１の選択肢と、前記第２の番組のみを予約する第２の選択肢と、前記放送時間が重複するとき前記第１の番組を優先する第３の選択肢と、前記放送時間が重複するとき前記第２の番組を優先する第４の選択肢を設けた
ことを特徴とする請求項２記載の表示制御装置。
【請求項４】
前記優先設定画面には、
前記第３の選択肢がユーザによって選択されたとき、前記第２の番組の予約時間表示を設け、前記第４の選択肢がユーザによって選択されたとき、前記第１の番組の予約時間表示を設ける
ことを特徴とする請求項３記載の表示制御装置。
【請求項５】
前記制御部は、前記優先設定画面を用いて前記優先して記録または視聴する番組が前記ユーザによって選択されたとき、この選択された番組を前記番組表において識別可能に表示させる
ことを特徴とする請求項２記載の表示制御装置。
【請求項６】
電子番組ガイドデータを利用して、放送時間が重複している番組の記録または視聴を予約するための放送番組予約装置において、
操作画面の画像信号を生成する信号生成部と、
前記画像信号に基づいて前記操作画面の表示を行う表示部と、
ユーザ操作に応じた操作信号を生成するユーザインタフェース部と、
前記信号生成部を制御して、前記電子番組ガイドデータに基づいて生成した番組表と、前記放送時間の重複する番組から優先して記録または視聴する番組をユーザに選択させる優先設定画面を、前記操作画面に含めるものとし、前記番組表において前記放送時間が重複している番組の放送局が隣接するように放送局の並び順を変更して前記放送時間の重複する番組の情報を表示させる制御部を有し、
前記制御部は、前記優先設定画面を用いたユーザ操作の操作信号に基づき、前記優先して記録または視聴する番組を判別して、この判別した番組の予約を行う
ことを特徴とする放送番組予約装置。
【請求項７】
電子番組ガイドデータを利用して、放送時間が重複している番組の記録または視聴を予約するための操作画面の表示制御を行う表示制御方法において、
前記操作画面の画像信号を生成する信号生成ステップと、
前記電子番組ガイドデータに基づいて生成した番組表を前記操作画面に含めるものとし、前記番組表において前記放送時間が重複している番組の放送局が隣接するように放送局の並び順を変更する表示変更ステップを設けた
ことを特徴とする表示制御方法。
【請求項８】
電子番組ガイドデータを利用して、放送時間が重複している番組の記録または視聴を予約するための放送番組予約方法において、
操作画面の画像信号を生成する信号生成ステップと、
前記画像信号に基づいて前記操作画面の表示を行う表示ステップと、
ユーザ操作に応じた操作信号を生成する操作信号生成ステップと、
前記電子番組ガイドデータに基づいて生成した番組表と、前記放送時間の重複する番組から優先して記録または視聴する番組をユーザに選択させる優先設定画面を、前記操作画面に含めるものとし、前記番組表において前記放送時間が重複している番組の放送局が隣接するように放送局の並び順を変更して前記放送時間の重複する番組の情報を表示させる表示変更ステップと、
前記優先設定画面を用いたユーザ操作の操作信号に基づき、前記優先して記録または視聴する番組を判別して、この判別した番組の予約を行う予約ステップを設けた
ことを特徴とする放送番組予約方法。
【発明の詳細な説明】
【技術分野】
【０００１】
この発明は、表示制御装置と放送番組予約装置および表示制御方法と放送番組予約方法に関する。詳しくは、放送時間が重複している番組の記録または視聴を予約する際に、放送時間が重複している番組の放送局が隣接するように番組表における放送局の並び順を変更することで、優先して予約する番組の決定を容易とするものである。
【背景技術】
【０００２】
ディジタル放送の分野などでは、番組を選択するための電子番組ガイドデータを映像や音声などの番組データ等に多重化して伝送し、受信側の表示装置に表示するようにした、いわゆる電子番組表（EPG:Electronic Program Guide)が知られている。
【０００３】
利用者は、電子番組表（以下「番組表」という）を利用することで、視聴する番組を選択するだけでなく、視聴する番組の予約も容易に行うことができる。また、表示装置に接続されている放送番組記録装置、あるいは表示装置と一体に設けられている放送番組記録装置で番組を記録する際に、記録する番組の予約も容易に行うことができる。
【０００４】
ここで、例えば同じ時間帯で放送される複数の番組を同時に記録することができない放送番組記録装置が用いられるとき、特許文献１の発明では、予約した番組ＰＧaの放送時間が、既に予約されている番組ＰＧbの放送時間と重複する場合、重複する第１の時間帯に、重複していない第２の時間帯と識別可能な所定の識別情報であって、番組ＰＧaの予約にしたがって番組ＰＧbに優先して記録が行われるときと、行われないときに応じて、第２の時間帯に付されている情報とそれぞれ異なる識別情報を番組表に付加することで、重複している時間帯に実行される予約の設定などを容易に確認できるようにすることが行われている。
【０００５】
【特許文献１】特許第３７２９３９５号公報
【発明の開示】
【発明が解決しようとする課題】
【０００６】
ところで、記録または視聴する番組の予約を行う場合、予約する番組の放送時間が重複するときにはユーザが優先度の高い番組を選択して、この選択された番組を放送番組記録装置で優先して記録することにより、ユーザの所望する番組を途切れることなく記録または視聴することできる。また、優先度の高い番組の選択では、例えば番組の内容や出演者，ジャンル等に関する種々の情報（以下「番組詳細情報」という）が用いらる。
【０００７】
ここで、優先度の高い番組を選択する場合、放送時間が重複する番組に関する番組詳細情報の比較や重複する時間帯の確認等を行い、優先度の高い番組を決定することが行われる。このため、例えば図１３の（Ａ）に示す番組表ＨＧを表示させる操作、予約する１つ目の番組ＰＧ1bが含まれる領域ＧＡaをズームインして、図１３の（Ｂ）に示すように１つ目の番組ＰＧ1bの番組詳細情報を表示させる操作、１つ目の番組ＰＧ1bに関する番組詳細情報の表示を終了させたのち、予約する２つ目の番組ＰＧ5bが含まれる領域ＧＡbをズームインして、図１３の（Ｃ）に示すように２つ目の番組ＰＧ5bの番組詳細情報を表示させる操作等を行わなければならない。したがって、操作中に番組詳細情報の内容等を忘れてしまうと、図１３の（Ｂ）に示す表示を行うための操作と図１３の（Ｃ）に示す表示を行うための操作を繰り返し行わなければならないことから、優先度の高い番組を簡単に決定することができない。
【０００８】
そこで、この発明では、予約する番組の放送時間が重複するとき、優先して予約する番組の決定を容易に行えるようにするものである。
【課題を解決するための手段】
【０００９】
この発明の概念は、記録または視聴を予約する予約番組の放送時間が重複する場合、放送時間が重複している番組の放送局が隣接するように放送局の並び順を変更して番組表を表示することにある。
【００１０】
この発明の表示制御装置は、電子番組ガイドデータを利用して、放送時間が重複している番組の記録または視聴を予約するための操作画面の表示制御を行う表示制御装置において、操作画面の画像信号を生成する信号生成部と、信号生成部を制御して、電子番組ガイドデータに基づいて生成した番組表を操作画面に含めるものとし、番組表において放送時間が重複している番組の放送局が隣接するように放送局の並び順を変更する制御部を有するものである。
【００１１】
この発明に係る放送番組予約装置は、電子番組ガイドデータを利用して、放送時間が重複している番組の記録または視聴を予約するための放送番組予約装置において、操作画面の画像信号を生成する信号生成部と、画像信号に基づいて操作画面の表示を行う表示部と、ユーザ操作に応じた操作信号を生成するユーザインタフェース部と、信号生成部を制御して、電子番組ガイドデータに基づいて生成した番組表と、放送時間の重複する番組から優先して記録または視聴する番組をユーザに選択させる優先設定画面を、操作画面に含めるものとし、番組表において放送時間が重複している番組の放送局が隣接するように放送局の並び順を変更して放送時間の重複する番組の情報を表示させる制御部を有し、制御部は、優先設定画面を用いたユーザ操作の操作信号に基づき、優先して記録または視聴する番組を判別して、この判別した番組の予約を行うものである。
【００１２】
この発明に係る表示制御方法は、電子番組ガイドデータを利用して、放送時間が重複している番組の記録または視聴を予約するための操作画面の表示制御を行う表示制御方法において、操作画面の画像信号を生成する信号生成ステップと、電子番組ガイドデータに基づいて生成した番組表を操作画面に含めるものとし、番組表において放送時間が重複している番組の放送局が隣接するように放送局の並び順を変更する表示変更ステップを設けたものである。
【００１３】
この発明に係る放送番組予約方法は、電子番組ガイドデータを利用して、放送時間が重複している番組の記録または視聴を予約するための放送番組予約方法において、操作画面の画像信号を生成する信号生成ステップと、画像信号に基づいて操作画面の表示を行う表示ステップと、ユーザ操作に応じた操作信号を生成する操作信号生成ステップと、電子番組ガイドデータに基づいて生成した番組表と、放送時間の重複する番組から優先して記録または視聴する番組をユーザに選択させる優先設定画面を、操作画面に含めるものとし、番組表において放送時間が重複している番組の放送局が隣接するように放送局の並び順を変更して放送時間の重複する番組の情報を表示させる表示変更ステップと、優先設定画面を用いたユーザ操作の操作信号に基づき、優先して記録または視聴する番組を判別して、この判別した番組の予約を行う予約ステップを設けたものである。
【発明の効果】
【００１４】
この発明によれば、記録または視聴を予約する予約番組の放送時間が重複する場合、放送時間が重複している番組の放送局が隣接するように放送局の並び順を変更して番組表が表示される。このため、放送時間が重複する番組に関する番組詳細情報等の比較を簡単に行うことが可能となり、優先して予約する番組の決定を容易に行える。
【発明を実施するための最良の形態】
【００１５】
以下、図を参照しながら、この発明の実施の一形態について説明する。図１は、番組受信システムの構成を示している。番組受信システム１０は、ディジタル放送を受信するアンテナ１１、放送番組記録装置２０、放送番組記録装置２０から映像信号が供給されて、番組の画像表示や電子番組表の表示等を行う表示装置６０、放送番組記録装置２０を遠隔制御するリモートコントロール装置７０を有している。
【００１６】
図２は、放送番組記録装置２０の構成を示している。放送番組記録装置２０は、この発明の表示制御装置や放送番組予約装置を適用したものである。
【００１７】
放送番組記録装置２０のチューナ／復調部２１は、アンテナ１１から供給されたＲＦ信号から所望のサービスを選局する処理や、選局を行って得られた受信信号の復調処理例えばＯＦＤＭ復調処理，ＱＰＳＫ復調処理あるいはＱＡＭ復調処理等を行う。さらに、復調処理を行うことにより得られたトランスポートストリームＴＳの誤り訂正処理やデスクランブル処理等も行ってデマルチプレクサ２２に供給する。
【００１８】
デマルチプレクサ２２は、トランスポートストリームＴＳに時分割多重されている画像信号ＤＴv、音声信号ＤＴaを分離して記録再生インタフェース部２３やデコーダ部２４に供給する。また、番組を選局するための選局情報と番組に関する電子番組ガイドデータを有した情報信号ＤＴcやデータ放送信号ＤＴdを分離して制御部５１に供給する。
【００１９】
記録再生インタフェース部２３には、ハード・ディスク装置（以下「ＨＤＤ」という）３１や光ディスク装置３２が接続されている。記録再生インタフェース部２３は、デマルチプレクサ２２で分離された画像信号ＤＴv、音声信号ＤＴaを所定のフォーマットの記録信号に変換してハード・ディスク装置３１あるいは光ディスク装置３２に供給する。例えば画像信号ＤＴv、音声信号ＤＴaを光ディスク装置３２に装着されているＤＶＤ(Digital Versatile Disc）に記録する場合、著作権保護のための暗号化処理や変調処理等を行いＤＶＤの規格に対応した記録信号に変換して光ディスク装置３２に供給する。なお、記録再生インタフェース部２３に半導体メモリを接続して画像信号ＤＴvや音声信号ＤＴaを記録できるようにしてもよい。
【００２０】
また、記録再生インタフェース部２３は、ＨＤＤ３１あるいは光ディスク装置３２から供給された再生信号のデフォーマット処理を行い、得られた画像信号ＤＴvr，音声信号ＤＴarをデコーダ部２４に供給する。
【００２１】
ＨＤＤ３１あるいは光ディスク装置３２は、制御部５１からの制御信号ＣＴに基づき、記録再生インタフェース部２３から供給された記録信号の記録処理を行う。また、制御部５１からの制御信号ＣＴに基づき、既に記録されている信号の再生処理を行い、得られた再生信号を記録再生インタフェース部２３に供給する。
【００２２】
デコーダ部２４は、デマルチプレクサ２２から供給された画像信号ＤＴvあるいは記録再生インタフェース部２３から供給された画像信号ＤＴvrの復号処理を行い、得られた画像信号ＶＳaをオンスクリーン表示処理部４１に供給する。また、デコーダ部２４は、デマルチプレクサ２２から供給された音声信号ＤＴaあるいは記録再生インタフェース部２３から供給された音声信号ＤＴarの復号処理を行い、得られた音声信号ＡＳaを音声出力処理部４５に供給する。
【００２３】
オンスクリーン表示処理部４１は、後述する制御部５１からの制御信号ＣＴに基づき、オンスクリーン表示の画像信号を生成する。さらに、オンスクリーン表示の画像信号とデコーダ部２４から供給された画像信号ＶＳaを合成して、画像信号ＶＳaに基づく画像にオンスクリーン表示の画像を合成した合成画像の画像信号ＶＳbを生成して信号処理部４２に供給する。オンスクリーン表示としては、番組の記録または視聴を予約するための操作画面の表示を行う。また、操作画面には、番組表や優先設定画面を含める。なお、優先設定画面は、放送時間の重複する番組から優先して記録または視聴する番組をユーザに選択させるための操作画面である。
【００２４】
信号処理部４２は、オンスクリーン表示処理部４１から供給された画像信号ＶＳbを用いてインタレース／プログレッシブ変換(Ｉ／Ｐ変換)処理や画素数変換処理等を必要に応じて行う。さらに、処理後の画像信号に対してシャープネス補正や色合い補正、ホワイトバランス補正、ノイズ除去等の画質改善処理を行い、画像信号ＶＳcとして画像出力処理部４３に供給する。
【００２５】
画像出力処理部４３には、例えばＬＣＤ（Liquid Crystal Display），ＰＤＰ（Plasma Display Panel），ＥＬ(Electro Luminescence)，陰極線管などの表示デバイスを用いて構成された表示装置６０が接続される。画像出力処理部４３は、画像信号ＶＳcを所定のフォーマットの出力画像信号Ｖoutとして表示装置６０に供給する。
【００２６】
音声出力処理部４５は、デコーダ部２４から供給された音声信号ＡＳaを用いて音声処理例えば信号レベル調整や音質調整、ノイズ除去処理等を行い、音声処理後の音声信号を音声出力装置６５に対応する出力音声信号Ａoutとして出力する。
【００２７】
制御部５１にはユーザインタフェース部５２や記憶部５３が接続されている。ユーザインタフェース部５２は、ユーザ操作に応じた操作信号ＰＳを制御部５１に供給するものであり、例えば操作キーやリモートコントロール装置７０からのリモートコントロール信号を受信するためのリモコン受信部等で構成されている。
【００２８】
記憶部５３は、デマルチプレクサ２２で分離された情報信号ＤＴc、例えば番組を選局するための選局情報や電子番組ガイドデータを記憶する。また、記憶部５３は、記録または視聴する番組の予約設定等も記憶する。
【００２９】
ディジタル放送では、チューナ／復調部２１で選局される周波数のチャンネル（周波数チャンネルあるいは物理チャンネル）で、複数のサービス（編成チャンネル）を行うことができるように構成されている。このため、選局情報では、周波数チャンネルを指定して選局を行うことにより得られたトランスポートストリームＴＳから編成チャンネル毎に画像信号や音声信号等のパケットを抽出するためのテーブル情報や、所望の番組のパケットが含まれているトランスポートストリームＴＳを得るためにチューナ／復調部２１で選局する周波数チャンネルの周波数を示す周波数情報等が用いられている。例えば、選局情報としてＰＡＴ(Program Association Table)，ＰＭＴ(Program Map Table)，ＮＩＴ(Network Information Table)等の情報が用いられており、ＰＡＴは、トランスポートストリームＴＳ内に含まれる全てのＰＭＴのパケット識別を示すものである。ＰＭＴは、１つの編成チャンネル(サービスチャンネル)を構成する画像や音声等のパケット識別を示すものである。ＮＩＴは、変調周波数など伝送路の情報と放送サービスを関連づける情報を示すものである。
【００３０】
電子番組ガイドデータは、放送される番組の時刻やタイトル、ジャンル、放送内容等の情報を示すものであり、電子番組ガイドデータとして例えばＳＩ(Service Information)情報が用いられる。ＳＩ情報は、ＳＤＴ(Service Description Table)，ＥＩＴ(Event Information Table)等の情報で構成されている。ＳＤＴは、編成チャンネル名、委託放送事業者名など編成チャンネルに関する情報を示すものである。ＥＩＴは、番組の名称、放送日時、内容の説明、カテゴリなど番組に関する情報を示すものである。
【００３１】
制御部５１は、バス５５を介して上述の各部と接続されている。制御部５１は、ユーザインタフェース部５２からの操作信号ＰＳに基づき、制御信号ＣＴを生成して各部に供給することで、放送番組記録装置２０の動作がユーザ操作に応じた動作となるように制御する。例えば、ユーザインタフェース部５２から供給された操作信号ＰＳによって、チャンネル切り換え操作が行われたことが示されたとき、制御部５１は、記憶部５３に記憶されている選局情報を用いて、チューナ／復調部２１に対して周波数情報に基づいた選局制御とデマルチプレクサ２２に対してテーブル情報に基づいたパケット分離制御等を行うことで、所望の番組の出力画像信号Ｖoutや出力音声信号Ａoutを生成させる。
【００３２】
また、ユーザインタフェース部５２から供給された操作信号ＰＳによって、所望の番組の記録または視聴の予約操作が行われたことが示されたとき、制御部５１は、オンスクリーン表示処理部４１の動作を制御して、記録または視聴する番組の予約を行うための操作画面の表示を行わせる。さらに、制御部５１は、この操作画面を用いたユーザ操作によって予約設定がなされたとき、番組の予約設定を記憶部５３に記憶させて、この記憶されている予約設定で示された時刻となったとき、チューナ／復調部２１やデマルチプレクサ２２、ＨＤＤ３１あるいは光ディスク装置３２の動作を制御して、予約されている番組の記録または視聴が行えるようにする。
【００３３】
また、制御部５１は、放送時間が重複している番組の記録または視聴を予約する際に、優先して予約する番組の決定が容易となるように操作画面の表示制御を行う。
【００３４】
次に、記録または視聴する番組の予約動作について説明する。制御部５１は、ユーザインタフェース部５２から供給された操作信号ＰＳによって、記録または視聴する番組の予約を行う動作モードが選択されたとき、オンスクリーン表示処理部４１の動作を制御して、番組予約のための操作画面の表示を行う。制御部５１は、操作画面に番組表を設ける。
【００３５】
図３は、番組表を例示したものである。番組表ＨＧは、例えばラテ欄方式が用いられており、横軸を放送局（チャンネル）、縦軸を時間として、各放送局（チャンネル）で放送される番組が時間軸に対応する位置に表示されている。なお、以下の説明では、チャンネル「１ch」で１９時３０分から放送される番組ＰＧ1bと、チャンネル「５ch」で１９時５５分から放送される番組ＰＧ5bが、放送時間の重複を生じた予約番組であるものとする。
【００３６】
ここで、図３に示すように、チャンネル「１ch」とチャンネル「５ch」の表示位置が離れていると、番組詳細情報を表示させるためにズームインしたとき、ズームイン後の画面内で番組ＰＧ1bと番組ＰＧ5bの番組詳細情報を同時に表示することができない。したがって、制御部５１は、ズームイン後の画面内で番組ＰＧ1bと番組ＰＧ5bの番組詳細情報を一度に閲覧できるように、番組表では放送時間が重複している予約番組の放送局が隣接するように放送局の並び順を変更する。放送局の並び順の変更は、ユーザからの指示に応じて行うものとしてもよく、また制御部５１で自動的に行うものとしてもよい。
【００３７】
ユーザからの指示に応じて放送局の並び順を変更する場合、ＧＵＩ(Graphical User Interface)を用いるものとすれば操作が容易となる。例えば、制御部５１は、画面上にカーソルを表示させて、このカーソルを利用してユーザが指定したチャンネルを操作信号ＰＳに基づいて判別する。さらに、判別結果に基づき、ユーザが指定したチャンネルの移動または入れ換えを行い放送局の並び順を変更する。
【００３８】
上述のように、番組ＰＧ1bと番組ＰＧ5bが放送時間の重複を生じた予約番組である場合、例えばチャンネル「５ch」の表示位置をチャンネル「２ch」の表示位置とすれば、放送時間が重複している予約番組の放送局が隣接するようになり、ズームインしても番組ＰＧ1bと番組ＰＧ5bの番組詳細情報を一度に閲覧できるようになる。このため、ユーザは、入れ換えるチャンネルとしてチャンネル「２ch」とチャンネル「５ch」を指定する。このようにチャンネルの指定がユーザによって行われたとき、制御部５１は、放送局の並び順の変更を行う。図４は、予約番組の放送時間が重複するときの番組表ＨＪを示している。制御部５１は、予約番組の放送時間が重複するときの番組表において、チャンネル「２ch」とチャンネル「５ch」を入れ換えて、記録する番組ＰＧ1bと番組ＰＧ5bの情報が並んだ状態とする。したがって、番組詳細情報を表示させるために番組表ＨＪの領域ＧＡcをズームインしたとき、ズームイン後の番組表ＨＪzでは、図５に示すように、番組ＰＧ1bと番組ＰＧ5bの番組詳細情報や重複している時間帯が一目でわかるようになり、それぞれの番組に関する番組詳細情報等を参照して、優先して記録または視聴する番組を容易に決定することができる。例えば番組詳細情報によってどちらの番組が好みであるか、また番組の重複する時間帯は番組のエンディングの部分であるから他の番組を優先させる等の決定を容易に行うことができる。
【００３９】
また、放送局の並び順を変更する場合、移動するチャンネルと挿入位置をユーザが指定するものとしてもよい。例えば、チャンネル「５ch」の表示をチャンネル「１ch」とチャンネル「２ch」の間に挿入するようにしても、図５と同様に番組ＰＧ1bと番組ＰＧ5bの番組詳細情報を一度で閲覧できるようになる。
【００４０】
なお、２つのチャンネルの表示位置を入れ換える場合、他のチャンネルの表示位置を変更する必要がない。このため、例えばメモリから順次信号を読み出してオンスクリーン表示の画像信号を生成している場合、表示位置の入れ換えが行われた画像信号を容易に生成できる。また、移動するチャンネルと挿入位置をユーザが指定する場合、例えばチャンネル「５ch」の表示をドラッグして、チャンネル「１ch」とチャンネル「２ch」の間にドロップさせることで操作が完了することから、ユーザ操作が容易となる。
【００４１】
放送時間が重複している予約番組の放送局が隣接するように放送局の並び順を制御部５１で自動的に変更する場合、制御部５１は、放送時間が重複する番組のチャンネルを判別して、判別結果に基づき放送局の並び順を変更すればよい。また、放送局の並び順を自動的に変更する動作モードを設けて、この動作モードがユーザによって選択されているときに放送局の並び順の変更を自動的に行うようにすれば、ユーザの所望する場合にのみ放送局の並び順を自動的に変更することができる。
【００４２】
なお、放送局の並び順の変更は、ズームイン前の番組表が表示されているときに限られるものではなく、ズームイン後の番組表が表示されているときに行うものとしてもよい。
【００４３】
図６は、ズームイン後の番組表ＨＧzが表示されているときに、放送局の並び順の変更を行う場合の操作画面を示している。
【００４４】
ズームイン後の番組表ＨＧzが表示されている場合、チャンネル「２ch」とチャンネル「５ch」が同時に表示されないことから、放送局一覧表示Ｈacを設けるものとして、放送局一覧表示Ｈacを利用して入れ換えるチャンネルあるいは移動するチャンネルと挿入位置の指定を行う。なお、放送局一覧表示Ｈacでは、ズームイン後の番組表で表示されている放送局（破線で示す範囲のチャンネル）を識別可能に表示することで、放送局一覧表示Ｈacによって番組表における放送局（チャンネル）表示が隠されてしまうような場合が生じても、いずれの放送局の番組が番組表で表示されているか容易に識別できる。
【００４５】
放送局一覧表示Ｈacを利用したユーザ操作が行われると、制御部５１は、ユーザ操作後の放送局の並び順にしたがって、放送局一覧表示と番組表を表示させる。例えばチャンネル「２ch」とチャンネル「５ch」の入れ換えが行われたときには、図７に示すように、放送局一覧表示Ｈacで変更後の順序で放送局を表示する。また、変更後の放送局の並び順である番組表ＨＪzの表示が行われて、番組ＰＧ1bと番組ＰＧ5bの番組詳細情報を一度で閲覧できるようになり、それぞれの番組に関する番組詳細情報を参照することで優先して記録または視聴する番組を容易に決定することができる。
【００４６】
次に、優先して記録または視聴する番組の予約設定動作について説明する。制御部５１は、放送時間が重複している番組の記録または視聴を予約するとき、優先して記録または視聴する番組を指定するための優先設定画面を表示する。
【００４７】
図８〜図１１は、優先設定画面を例示したものである。制御部５１は、予約される番組に関する番組詳細情報を参照しながら、優先して記録または視聴する番組を指定できるように、放送局の並び順が変更されている番組表と優先設定画面を同じ画面上に表示する。なお、図８〜図１１では、ズームイン後の番組表ＨＪzと優先設定画面ＨＳを同じ画面上に表示した場合を図示している。
【００４８】
優先設定画面では、放送時間の重複する番組ＰＧ1bと番組ＰＧ5bに対して、番組ＰＧ5bのみを予約する選択肢表示Ｈsa、番組ＰＧ1bのみを予約する選択肢表示Ｈsb、放送時間が重複するとき番組ＰＧ1bを優先する選択肢表示Ｈsc、放送時間が重複するとき番組ＰＧ5bを優先する選択肢表示Ｈscが設けられている。
【００４９】
制御部５１は、優先設定画面において、ユーザの選択した選択肢表示が他の選択肢表示と区別可能となるように選択肢表示の表示制御を行う。また、選択肢表示が選択されたことに優先するものとされた番組が他の番組と区別可能となるように番組表の表示制御を行う。例えば、ユーザの選択した選択肢表示や優先するものとされた番組の表示を他の表示とは異なる色に切り換えて表示する。また、色の切り換えを行う場合、ユーザの選択した選択肢表示と優先するものとされた番組の表示を同系色で表示すれば、関連があることを容易に識別できる。また、表示制御では、色の切り換えだけでなく反転表示や強調表示、文字飾り等を行うものとしてもよい。
【００５０】
ユーザは、番組表ＨＪzにおいて一度に閲覧できるようになされた番組ＰＧ1bと番組ＰＧ5bの番組詳細情報を参考として、どの番組を優先して予約を行うか選択肢表示の選択を行う。
【００５１】
ここで、番組ＰＧ5bのみを予約する場合には選択肢表示Ｈsaを選択する。図８は、選択肢表示Ｈsaが選択されているときの優先設定画面を示している。制御部５１は、この優先設定画面において、優先設定画面における選択肢表示Ｈsaと番組表ＨＪzにおける番組ＰＧ5bの表示を他の選択肢表示や他の番組の表示と区別できるように表示する。さらに、制御部５１は、選択されている選択肢表示Ｈsaの決定操作、あるいは図８に示す優先設定画面が表示されているときに予約決定操作が行われたときは、選択肢表示Ｈsaで表示されている予約設定、すなわち番組ＰＧ5bのみを記録または視聴するように予約の設定を実行する。
【００５２】
番組ＰＧ1bのみを予約する場合には選択肢表示Ｈsbを選択する。図９は、選択肢表示Ｈsbが選択されているときの優先設定画面を示している。制御部５１は、この優先設定画面において、優先設定画面における選択肢表示Ｈsbと番組表ＨＪzにおける番組ＰＧ1bの表示を他の選択肢表示や他の番組の表示と区別できるように表示する。さらに、制御部５１は、選択されている選択肢表示Ｈsbの決定操作、あるいは図９に示す優先設定画面が表示されているときに予約決定操作が行われたときは、選択肢表示Ｈsbで表示されている予約設定、すなわち番組ＰＧ1bのみを記録または視聴するように予約の設定を実行する。
【００５３】
放送時間が重複するとき番組ＰＧ1bを優先る場合は選択肢表示Ｈscを選択する。図１０は、選択肢表示Ｈscが選択されているときの優先設定画面を示している。制御部５１は、この優先設定画面において、優先設定画面における選択肢表示Ｈscと番組表ＨＪzにおける番組ＰＧ1bの表示を他の選択肢表示や他の番組の表示と区別できるように表示する。また、番組ＰＧ5bについては、放送時間が重複するとき記録または視聴が行われなくなることから、制御部５１は、番組ＰＧ5bの記録または視聴が行われる番組時間表示Ｈsctを設けて、番組ＰＧ5bの記録または視聴の開始時刻と終了時刻を表示する。さらに、制御部５１は、番組表ＨＪzにおける番組ＰＧ5bの表示と番組時間表示Ｈsctが関連していることを容易に把握可能とする表示制御、番組表ＨＪzにおいて優先して記録または視聴が行われる番組ＰＧ1bと放送時間が重複するときに記録または視聴が行われない番組ＰＧ5bを識別可能とする表示制御を行う。また、制御部５１は、選択されている選択肢表示Ｈscの決定操作、あるいは図１０に示す優先設定画面が表示されているときに予約決定操作が行われたとき、選択肢表示Ｈscで表示されている予約設定、すなわち番組ＰＧ1bの記録または視聴を優先させて、放送時間が重複するときに番組ＰＧ5bの記録または視聴が行われなくなるように予約の設定を実行する。
【００５４】
放送時間が重複するとき番組ＰＧ5bを優先する場合は選択肢表示Ｈsdを選択する。図１１は、選択肢表示Ｈsdが選択されているときの優先設定画面を示している。制御部５１は、この優先設定画面において、優先設定画面における選択肢表示Ｈsdと番組表ＨＪzにおける番組ＰＧ5bの表示を他の選択肢表示や他の番組の表示と区別できるように表示する。また、番組ＰＧ1bについては、放送時間が重複するとき記録または視聴が行われなくなることから、制御部５１は、番組ＰＧ1bの記録または視聴が行われる番組時間表示Ｈsdtを設けて、番組ＰＧ1bの記録または視聴の開始時刻と終了時刻を表示する。さらに、制御部５１は、番組表ＨＪzにおける番組ＰＧ1bの表示と番組時間表示Ｈsdtが関連していることを容易に把握可能とする表示制御、番組表ＨＪzにおいて優先して記録または視聴が行われる番組ＰＧ5bと放送時間が重複するときに記録または視聴が行われない番組ＰＧ1bを識別可能とする表示制御を行う。また、制御部５１は、選択されている選択肢表示Ｈsdの決定操作、あるいは図１１に示す優先設定画面が表示されているときに予約決定操作が行われたとき、選択肢表示Ｈsdで表示されている予約設定、すなわち番組ＰＧ5bの記録または視聴を優先させて、放送時間が重複するときに番組ＰＧ1bの記録または視聴が行われなくなるように予約の設定を実行する。
【００５５】
図１２は、予約設定動作を示すフローチャートである。ステップＳＴ１で制御部５１は、予約番組が複数であるか否か判別する。制御部５１は、記録または視聴するように予約した番組である予約番組が１つであるときステップＳＴ８に進む。また、制御部５１は、予約番組が複数であるとき、例えば２つの番組を予約するときや、既に番組の予約が行われており予約する番組を追加するときステップＳＴ２に進む。
【００５６】
ステップＳＴ２で制御部５１は、予約番組の放送時間が重複しているか判別する。制御部５１は、放送時間の重複がないときステップＳＴ８に進み、放送時間が重複するときはステップＳＴ３に進む。
【００５７】
ステップＳＴ３で制御部５１は、放送局の並び順を変更して番組表の表示を行う。すなわち、制御部５１は、番組表において放送時間が重複している番組ＰＧ1bと番組ＰＧ5bの番組詳細情報を一度に閲覧できるように、ユーザ操作に応じてあるいは自動的に放送局の並び順を変更したのち、この番組表をオンスクリーン表示させる画像信号を生成させてステップＳＴ４に進む。
【００５８】
ステップＳＴ４で制御部５１は、優先設定画面の表示を行う。制御部５１は、ユーザ操作に応じて図８〜図１１に示す優先設定画面をオンスクリーン表示する画像信号を生成させてステップＳＴ５に進む。
【００５９】
ステップＳＴ５で制御部５１は、予約の決定操作が行われたか否かを判別する。制御部５１は、選択されている選択肢表示の決定操作や、優先設定画面が表示されているときに予約決定操作をユーザが行っていないと判別したときステップＳＴ６進む。また、制御部５１は、選択されている選択肢表示の決定操作や、優先設定画面が表示されているときに予約決定操作をユーザが行ったと判別したときステップＳＴ７に進む。
【００６０】
ステップＳＴ６で制御部５１は、予約中止操作が行われたか否かを判別する。制御部５１は、予約操作を中止するユーザ操作が行われていないと判別したときステップＳＴ４に戻り、予約操作を中止するユーザ操作が行われたと判別したとき予約設定動作を終了する。
【００６１】
ステップＳＴ７で制御部５１は、選択されている選択肢表示の設定内容で、記録または視聴する番組の予約設定を行い、予約設定動作を終了する。
【００６２】
ステップＳＴ８で制御部５１は、各番組の予約設定を行い予約設定動作を終了する。すなわち、各予約番組は放送時間の重複がないことから、各予約番組について放送の開始時刻から終了時刻まで記録または視聴できるように予約設定を行って、予約設定動作を終了する。
【００６３】
なお、上述の実施の形態では、テレビジョン放送の番組の予約を行う場合について説明したが、番組表の情報の提供が行われている放送であれば、ラジオ放送等であってもよい。また、本願発明における放送は、衛星放送や地上波放送だけでなく、ケーブルテレビジョンのようにヘッドエンドからユーザ宅のセットトップボックスに番組を配信する場合を含むものである。さらに電子番組ガイドデータは、放送を受信して得られた受信信号から抽出する場合に限られるものではなく、ネットワーク等を介して配信される電子番組ガイドデータを用いるものとしてもよい。
【００６４】
このように、記録または視聴の予約を複数番組行うときや、番組の予約が既に行われており新たな番組の予約を追加するとき、番組の放送時間が重複する場合には、番組表において放送時間が重複する番組の放送局が隣接するように放送局の並び順が変更される。このため、放送時間が重複する番組に関する番組詳細情報等の比較を簡単に行うことが可能となり、優先して予約する番組の決定を容易に行える。
【００６５】
また、記録または視聴の予約を行う番組の放送時間が重複するとき、放送時間の重複する番組から優先して記録または視聴する番組をユーザに選択させる優先設定画面が表示される。例えば、優先設定画面には、いずれの番組を優先させるか指定するための選択肢表示が設けられる。このため、いずれかの選択肢を選択する操作で、優先して記録または視聴する番組の予約設定を容易に行うことが可能となる。
【図面の簡単な説明】
【００６６】
【図１】番組受信システムの構成を示す図である。
【図２】放送番組記録装置の構成を示す図である。
【図３】番組表を示す図である。
【図４】予約番組の放送時間が重複するときの番組表を示す図である。
【図５】予約番組の放送時間が重複するときのズームイン後の番組表を示す図である。
【図６】ズームイン後の番組表が表示されているときに放送局の並び順の変更を行う場合の操作画面を示す図である。
【図７】放送局の並び順の変更が行われたときの操作画面を示す図である。
【図８】優先設定画面（選択肢表示Ｈsaが選択されているとき）を示す図である。
【図９】優先設定画面（選択肢表示Ｈsbが選択されているとき）を示す図である。
【図１０】優先設定画面（選択肢表示Ｈscが選択されているとき）を示す図である。
【図１１】優先設定画面（選択肢表示Ｈsdが選択されているとき）を示す図である。
【図１２】予約設定動作を示すフローチャートである。
【図１３】従来の番組予約操作を説明するための図である。
【符号の説明】
【００６７】
１０・・・番組受信システム、１１・・・アンテナ、２０・・・放送番組記録装置、２１・・・チューナ／復調部、２２・・・デマルチプレクサ、２３・・・記録再生インタフェース部、２４・・・デコーダ部、３１・・・ハード・ディスク装置（ＨＤＤ）、３２・・・光ディスク装置、４１・・・オンスクリーン表示処理部、４２・・・信号処理部、４３・・・画像出力処理部、４５・・・音声出力処理部、５１・・・制御部、５２・・・ユーザインタフェース部、５３・・・記憶部、５５・・・バス、６０・・・表示装置、６５・・・音声出力装置、７０・・・リモートコントロール装置
【図１】
2009111515.tif 000003
【図２】
2009111515.tif 000004
【図３】
2009111515.tif 000005
【図４】
2009111515.tif 000006
【図５】
2009111515.tif 000007
【図６】
2009111515.tif 000008
【図７】
2009111515.tif 000009
【図８】
2009111515.tif 000010
【図９】
2009111515.tif 000011
【図１０】
2009111515.tif 000012
【図１１】
2009111515.tif 000013
【図１２】
2009111515.tif 000014
【図１３】
2009111515.tif 000015